(57)【要約】【課題】  花粉症、流感等の対策用として使用するに適したマスクであって、手軽で、優れた効果の得られるマスクを提供すること。【解決手段】  通気性を有する布材で作られたマスク本体の内側に当て布を重ねてポケットを形成し、当該ポケットに天然ヒノキの薄板又はヒノキエキスをしみ込ませたシートを収納したマスク。天然ヒノキの薄板を使用する場合は、内部に含まれる有効成分が揮発しやすいように、複数の凹部（表裏に貫通する穴又は有底凹部）を設けておくのが好ましい。【選択図】      図１
2006181256.tif 000002
【特許請求の範囲】
【請求項１】
通気性を有する布材で作られたマスク本体の内側に当て布を重ねてポケットを形成し、当該ポケットに天然ヒノキの薄板又はヒノキエキスをしみ込ませたシートを収納したことを特徴とするマスク。
【請求項２】
天然ヒノキの薄板に複数の凹部が形成されている請求項１に記載のマスク。
【発明の詳細な説明】
【技術分野】
【０００１】
本発明は、花粉症、流感等の対策用として使用するに適したマスクに関するものである。
【背景技術】
【０００２】
流感、花粉症、アレルギー、喘息等の疾患を防止するための手段として、外出時にマスクをすることが行われている。従来広く使用されているマスクは、天然繊維の布や不織布等の合成樹脂シートでつくられており、内側の鼻に接する部分にガーゼ等のフィルターを挟むようになっているものが一般的である。花粉等の侵入をこのフィルターで防止するようになっている。
【０００３】
この種のマスクには、内側にポケットを設けて、これにフィルターを入れるもの、花粉を破壊して不活性化する成分を添加したもの、メントールを添加して清涼感を付加したもの等、種々のものがある。
【０００４】
これらのなかには、例えば、特許文献１に示すように、ヒノキチオールのマイクロカプセル又はヒノキチオールを吸着させたセラミック微粒子を固着した繊維を利用したマスクも提案されている。
【０００５】
【特許文献１】特開平９−３１８５８号公報
【発明の開示】
【発明が解決しようとする課題】
【０００６】
しかしながら、上記従来のマスクは、いずれも一長一短があり、手軽に利用するには適していなかった。例えば、上記特許文献１に示すようなものは、化学薬品を利用するものであるから、人によっては使用に抵抗感があるほか、製造工程が長く、コストも高くなりがちである。また、マスク自体に有効成分を吸着させたものであるから、効果が薄れたときはマスク全体を廃棄しなければならないため不経済である。さらに、従来のマスクは、全体が柔軟な布材で作られていたので、鼻に密着して呼吸しにくいものも多かった。
【０００７】
そこで、本発明は、従来のマスクに比べて手軽で、優れた効果の得られるマスクを提供することを課題としている。
【課題を解決するための手段】
【０００８】
上記課題を解決するため、本発明は次のような構成を採用した。すなわち、本発明にかかるマスクは、通気性を有する布材で作られたマスク本体の内側に当て布を重ねてポケットを形成し、当該ポケットに天然ヒノキの薄板又はヒノキエキスをしみ込ませたシートを収納したことを特徴としている。天然ヒノキの薄板を使用する場合は、内部に含まれる有効成分が揮発しやすいように、複数の凹部（表裏に貫通する穴又は有底凹部）を設けておくのが好ましい。
【発明の効果】
【０００９】
このマスクは、天然のヒノキの薄板又はヒノキエキスを含ませたシートを使用するものであるから、誰でも抵抗感なく着用することができる。ヒノキエキス（ヒノキチオール）に防虫効果や有害な菌の働きを抑制する効果があることは古くから知られているとおりであり、しかも特有の好ましい香りがあるので、これを吸引すれば、細菌や有害物質による悪影響を防止できるとともに、爽やかな気分を味わうことができる。ヒノキ薄板やヒノキエキスを含ませたシートは、マスクの内側に設けられたポケットに入れて保持するので、使用中に位置ずれせず、効果的な吸引を継続することができる。また、ヒノキの薄板やシートは簡単に折り曲げることができるので、鼻の隆起に適合するように折り曲げることができる。ヒノキ薄板の場合は、適度の剛性を有するので、鼻の隆起に適合するように折り曲げても鼻に密着せず、適度の隙間ができるため、呼吸が楽である。
【発明を実施するための最良の形態】
【００１０】
以下本発明の実施形態について、具体的に説明する。図１は、本発明に係るマスクを例示するもので、このマスク１は、多孔性の不織布等の布材で作られた本体２の内側に多孔性の布３を重ねてポケット４を形成している。マスクの材質としては、適度の通気性を有する布材、例えばガーゼ等の布材を利用することができる。なお、本体２の左右両側には、公知のマスクと同様に、紐材で作られた耳掛け６が取り付けられている。
【００１１】
上記マスクのポケット４には、ヒノキエキスを揮発させる板又はシートとして、ヒノキ薄板７が挿入される。この薄板７は、天然のヒノキをスライスしたもので、厚さは１〜２ｍｍ程度、大きさは数ｃｍ角、例えば４ｃｍｘ５ｃｍ程度とするのが好ましい。厚さが薄過ぎると、効果が短時間でなくなるので好ましくない。逆に厚過ぎると、重量が大きくなり、折り曲げが困難となるので、これも好ましくない。薄板７の板面には、表裏に貫通する複数の穴９，…が開けられている。この穴は、呼吸のための通気穴であると同時に、薄板の内部に含まれるヒノキエキスを揮発しやすくするためのものである。この穴９の大きさは、直径３〜５ｍｍ程度とするのが好ましい。なお、図示例では、表裏に貫通する穴９を凹部として設けているが、このような貫通穴ではなく、有底の凹部として形成してもよい。
【００１２】
このマスクの使用に際しては、あらかじめ用意している穴付きのヒノキ薄板をポケット４に入れ、中央部から左右に折り曲げて使用する。使用中は、ヒノキ薄板からヒノキエキス（ヒノキチオール）が揮発するが、ポケットの当て布も多孔質であるから、これを鼻から吸引することができ、これによって有害な菌や花粉の働きを抑制することができる。ヒノキエキスが有害な菌の働きを抑える作用を有することは知られているが、本発明者の実験では、アレルギー、喘息、花粉症等に対してもかなり効果的であった。
【００１３】
長時間の使用により、ヒノキの匂いが薄れた時は、ヒノキ薄板（又はヒノキエキスを含ませたシート）７を新しいものと交換して使用すればよい。ヒノキ薄板は天然材であるから、使用後の処理も簡単であり、公害問題のおそれはない。なお使用前のヒノキ薄板は、有効成分の揮発を抑制するため、真空パックしておくのが好ましい。
【００１４】
次に、以上の説明では、主として天然のヒノキ薄板を使用する例について説明したが、天然のヒノキ薄板を使用する代わりに、図４、図５に示すように、ヒノキエキスをしみ込ませた通気性を有するシート（紙、布等）８を使用することも可能である。この場合も、シート８の大きさは厚さが１〜２ｍｍ、外形が数ｃｍ（例えば４ｘ５ｃｍ）とするのが好ましい。材質は紙を使用する方が経済的であり、使用後の処理も簡単である。なお、使用前のシートは、有効成分の揮発を防止するため、真空パックしておくのが好ましい。
【産業上の利用可能性】
【００１５】
以上の説明から明らかなように、本発明に係るマスクは、布材で作られたマスク本体にポケットを設けて、天然のヒノキの成分を含む薄板、シート等を収容して使用するもので、天然のヒノキの有効成分を吸引しやすくしたものであるから、誰でも抵抗なく使用することができ、流感や花粉証の対策として有効なものである。
【図面の簡単な説明】
【００１６】
【図１】マスクの背面図である。
【図２】ヒノキ薄板の正面図である。
【図３】使用法の説明図である。
【図４】シートの正面図である。
【図５】その使用法の説明図である。
【符号の説明】
【００１７】
１      マスク
２      マスク本体
３      当て布
４      ポケット
７      ヒノキ薄板
９      穴（凹部）
【図１】
2006181256.tif 000003
【図２】
2006181256.tif 000004
【図３】
2006181256.tif 000005
【図４】
2006181256.tif 000006
【図５】
2006181256.tif 000007